(57)【特許請求の範囲】
【請求項１】
吸排気管と埋戻し用土砂吸込管とを上部に開口させ、多数の空気および固化剤注入ノズルを底部に開口させ、埋戻し用流動化土砂排出管を底面隅部に開口させ、循環水タンクに連通する給水管を開閉弁を介して開口させ、そして撹拌翼を内蔵した排出傾動可能な可搬式流動化処理タンクと、前記循環水タンク内上部空気室に吐出側を連通した直空ポンプと、該直空ポンプの吸引側を前記吸排気管に連通させるとともに前記循環水タンク内上部空気室を大気管に連通させる土砂吸込位置と前記直空ポンプの吸引側を大気管に連通させるとともに前記循環水タンク内上部空気室を前記吸排気管に連通させる土砂排出位置とに選択的に切替える切替弁と、を車両に搭載した埋戻し用土砂の可搬式流動化処理装置。
【発明の詳細な説明】
【０００１】
【産業上の利用分野】
本発明は、配管埋設工事現場、建築工事現場等で発生する堀削土砂、残土等を当該現場において埋戻し用土砂として再使用するための装置である。
【０００２】
【従来の技術】
従来、工事現場で発生した堀削土砂等を埋戻し用として再使用する際には、該現場より離れた別の場所に用意された大型の定置式プラントまで前記堀削土砂等を運搬し、セメント系固化剤等と混練し流動化してコンクリートミキサー車等の運搬車両にて再び工事現場へ戻って埋戻し用土砂として再利用していた。
【０００３】
【発明が解決しようとする課題】
ところが、工事現場と定置式プラントとの間を運搬車両にて往復することは、工事施工能率を著しく低下させるとともに定置プラントを離れた場所に別途用意しなければならないという問題点を有していた。
【０００４】
【課題を解決するための手段】
本発明は、吸排気管と埋戻し用土砂吸込管とを上部に開口させ、多数の空気および固化剤注入ノズルを底部に開口させ、埋戻し用流動化土砂排出管を底面隅部に開口させ、循環水タンクに連通する給水管を開閉弁を介して開口させ、そして撹拌翼を内蔵した、排出傾動可能な可搬式流動化処理タンクと、前記循環水タンク内上部空気室に吐出側を連通した真空ポンプと、該真空ポンプの吸引側を前記吸排気管に連通させるとともに前記循環水タンク内上部空気室を大気管に連通させる土砂吸込位置と前記真空ポンプの吸引側を大気管に連通させるとともに前記循環水タンク内上部空気室を前記吸排気管に連通させる土砂排出位置とに切替える切替弁と、を車両に搭載することにより、前述した従来技術の問題点を解決したものである。
【０００５】
【作用】
まず、切替弁によって吸排気管と真空ポンプの吸引側とを連通するとともに循環水タンク内の上部空気室を大気管を経て大気中に開放し、給水管の開閉弁を開き、埋戻し用土砂を流動化処理タンク内に吸込む準備をする。
【０００６】
すなわち、真空ポンプの作動によって流動化処理タンク内が負圧になると、循環水タンク内の上記空気室が大気に開放されているため、循環水タンク内の水が圧力差によって流動化処理タンク内に流入する。
流動化処理タンク内に所定量の水が流入すると開閉弁を閉じ、空気および固化剤注入ノズルを開き負圧下の流動化処理タンク内に空気および固化剤を流入させる。
【０００７】
そこで、撹拌翼を回転させて水と固化剤を撹拌混練してセメントミルクを作る。このとき、注入ノズルから固化剤とともに流入した空気は気泡となって上昇し混練作用を促進する。
【０００８】
次に、埋戻し用土砂吸込管を開くと負圧下の流動化処理タンク内に埋戻し用土砂が吸込まれてセメントミルクと混練される。
流動化処理タンク内に所定の固化剤と埋戻し用土砂が流入すると、注入ノズルと土砂吸込管を閉じて固化剤と土砂の流入を停止させる。
【０００９】
流動化処理タンク内で充分混練された時点で撹拌翼の回転を停止させ、前記切替弁を土砂排出位置に切替えて真空ポンプ吸込側を大気管に連通させるとともに循環水タンク内上部空気室を流動化処理タンク内に連通すると、真空ポンプ吐出側に連通している循環水タンク内の上部空気室内の圧気は吸排気管を経て流動化処理タンク内に圧送されて流動化処理タンクの内圧を上昇させる。
該内圧が大気圧以上になった時点で流動化土砂排出管を開くと、該排出管を経て流動化土砂は圧送排出され、埋戻し個所に流し込まれる。
流し込まれた土砂は混入している固化剤によって一定時間後に固化し、埋戻し作業が完了する。
【００１０】
【実施例】
本発明の実施例を図面について説明すると、流動化処理装置は車両等に搭載されて工事現場に移動可能となっており、流動化処理タンク１１と車両エンジンによって駆動される真空ポンプ２１と循環水タンク３１とを具備している。
【００１１】
切替弁Ｖ１を図示の如く土砂吸込位置に切替えると、流動化処理タンク１１内の空気は吸排気管１２、切替弁Ｖ１、フィルタＦを通って真空ポンプ２１の吸込側に連通して流動化処理タンク１１内を負圧にするとともに、真空ポンプ２１の吐出側は循環水タンク３１内の上部空気室３２を経て大気管４１に連通して大気に開放される。
【００１２】
循環水タンク３１内の水は開閉弁Ｖ２を開くことによって給水管３３を経て負圧下の流動化処理タンク１１内に流入するとともに、空気および固化剤は注入ノズル１３の開閉弁Ｖ３を開くことによって流動化処理タンク１１内に注入される。
【００１３】
流動化処理タンク１１には液面計１４が設けられ、適量の水が流動化処理タンク１１内に流入したことを確認して開閉弁Ｖ２を閉じ、車両エンジンで撹拌翼１５を回転させてセメントミルクを作る。
【００１４】
一方、土砂吸込管１６の開閉弁Ｖ４を開くと、土砂は負圧下の流動化処理タンク１１内に吸引されセメントミルクと撹拌混練される。
適量の土砂が流動化処理タンク１１内に吸引されると開閉弁Ｖ４を閉じる。
【００１５】
次に、切替弁Ｖ１を土砂排出位置に切替えると、真空ポンプ２１の吸込側は大気管４１に連通して大気を吸込し、真空ポンプ２１の吐出側に連通する循環水タンク３１内上部空気室３２は吸排気管１２を経て流動化処理タンク１１内に連通して真空ポンプの吐出空気を圧送する。
【００１６】
そこで、流動化処理タンク１１の流動化土砂排出管１７の開閉弁Ｖ５を開くことによって、該タンク１１内の流動化処理された土砂は、該タンク内に圧送された空気圧により埋戻し個所に強制排出される。そして、必要に応じシリンダ装置１８を伸長作動させることにより該流動化処理タンク１１は矢印Ａ方向に傾動して該タンク内の土砂排出を促進させる。
【００１７】
なお、循環水タンク３１内の水が不足したときは、補給口を有する密閉補助タンク３４から開閉弁Ｖ６を開くことにより補給される。
該密閉補助タンク３４に給水車等より給水するときは、切替弁Ｖ１の実線で図示する土砂吸込位置において開閉弁７を閉じ開閉弁Ｖ８を開くことにより、真空ポンプ２１の吸込側を該密閉補助タンク３４内に連通するので、密閉補助タンク３４内は負圧となり、給水車等よりの水を前記補給口より吸引することにより行われる。
【００１８】
【発明の効果】
本発明は、工事現場で発生した埋戻し用土砂の流動化処理タンク内に撹拌翼と固化剤注入ノズルを設けるとともに、真空ポンプの吸引側と吐出側とを切替弁の切替え操作によって、埋戻し用土砂を流動化処理タンク内に自動的に吸込み、そして固化剤と土砂との撹拌混練して流動化処理する作業と処理した埋戻し用土砂を効率よく加圧排出する作業とをコンパクトな流動化処理装置によって行い得るので、車両に搭載して所望の工事現場に容易に移動することが可能になったから、工事現場で発生した埋戻し用土砂を当該現場で流動化処理して再使用することができ、埋戻し施工の効率を飛躍的に増大させ、また、流動化処理タンク内での撹拌混練は該タンク内の負圧下で行われるため、流動化処理した埋戻し用土砂内は完全に脱気されているので、埋戻し個所に打設した流動化処理土砂の強度を増大させる効果をも有している。
【図面の簡単な説明】
【図１】  本発明の流動化処理装置の概略説明図。
【符号の説明】
１１        流動化処理タンク
１２        吸排気管
１５        撹拌翼
１６        埋戻し用土砂吸込管
１７        流動化処理土砂排出管
１８        傾動シリンダ装置
２１        真空ポンプ
３１        循環水タンク
３２        循環水タンク内上部空気室
３３        給水管
３４        補助タンク
４１        大気管
Ｖ１        切替弁
Ｖ２〜Ｖ８  開閉弁
【図１】
0003660939.tif 000002